Podtech/llm-jp-corpus-v4-ja_patent huggingface dataset:
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
ａ）ポリマーＡ、及び式（ＩＶ）の化合物、式（Ｖ）の化合物又はその両方を含む第１成分であって、
ポリマーＡが式（Ｉ）
【化１】
2019506475.tif 000001
［式中、各Ｒ１は独立して水素又はメチルであり、各Ｒ２及びＲ３は、独立して４〜１４個の炭素原子を有する直鎖状又は分岐状のアルキルである。］
の複数の第１モノマー単位、
及び式（ＩＩ）、
【化２】
2019506475.tif 000002
式（ＩＩＩ）
【化３】
2019506475.tif 000003
又はこれらの混合物である複数の第２モノマー単位を含み、
式（ＩＶ）又は式（Ｖ）の前記化合物が、
Ｒ４Ｏ−（ＣＯ）−（ＣＯ）−ＯＲ４
（ＩＶ）
Ｒ４Ｏ−（ＣＯ）−（ＣＯ）−ＮＨ−Ｒ５−ＮＨ−（ＣＯ）−（ＣＯ）−ＯＲ４
（Ｖ）
［式中、各Ｒ４は、独立してアルキル、アラルキル、置換アラルキル、アルケニル、アリール、置換アリールであり、各Ｒ５は、独立して、任意に複素原子を含み得る、二価の炭化水素連結基である。］
の式の化合物である、第１成分と、
ｂ）少なくとも８０重量％の、複数の、式（Ｉ）
【化４】
2019506475.tif 000004
［式中、各Ｒ１は独立して水素又はメチルであり、各Ｒ２及びＲ３は、独立して４〜１４個の炭素原子を有する直鎖状又は分岐状のアルキルである。］
の第１モノマー単位、及び一級アミノ基を有する複数のモノマー単位を含むポリマーＢを含む、第２成分と、を含む２成分形反応性組成物。
【請求項２】
請求項１に記載の２成分形反応性組成物を含有する複数のチャンバを有する混合及び／又は供給デバイスであって、前記第１成分が前記複数のチャンバを有する混合及び／又は前記供給デバイスの第１チャンバ内に存在し、前記第２成分が前記複数のチャンバを有する混合及び／又は前記供給デバイスの第２チャンバ内に存在する、複数のチャンバを有する混合及び／又は供給デバイス。
【請求項３】
請求項１に記載の２成分形反応性組成物を準備することと、前記第１成分及び前記第２成分が反応し、ポリマー材料を形成するのに有効な条件下にて、前記第１成分と前記第２成分を組み合わせることと、を含む、ポリマー材料の調製方法。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
前面と、
後面と、
前記前面と前記後面の少なくとも一方の上に配置された少なくとも１つの回折格子であって、前記前面と前記後面の前記少なくとも一方の中心からの複数の距離範囲に対応する複数のゾーンを含み、前記複数のゾーンは、第一の距離範囲に対応する第一のゾーンと、前記中心から前記第一の距離範囲より遠い第二の距離範囲に対応する第二のゾーンと、前記中心から前記第二の距離範囲より遠い第三の距離範囲に対応する繰返しゾーンと、を含み、前記第一のゾーンは、第一の段差高さと第一の曲率半径を有する少なくとも第一のエシェレットを含み、前記第二のゾーンは、第二の段差高さと第二の曲率半径を有する少なくとも第二のエシェレットを含み、前記繰返しゾーンは、前記第一の段差高さと前記第一の曲率半径の少なくとも１つを有する少なくとも第三のエシェレットを含む、少なくとも１つの回折格子と、
を含む、眼科レンズ。
【請求項２】
前記繰返しゾーンの前記少なくとも第三のエシェレットは、前記第一のゾーンの前記第一の段差高さと、前記第一の曲率半径とは異なる第三の曲率半径と、を有する、請求項１に記載の眼科レンズ。
【請求項３】
前記繰返しゾーンの前記少なくとも第三のエシェレットは、前記第一の段差高さとは異なる第三の段差高さと、前記第一の曲率半径と、を有する、請求項１に記載の眼科レンズ。
【請求項４】
前記繰返しゾーンの前記少なくとも第三のエシェレットは、前記第一のゾーンの前記第一の段差高さと、前記第一のゾーンの前記第一の曲率半径と、を有する、請求項１に記載の眼科レンズ。
【請求項５】
前記複数のゾーンは、少なくとも第四のエシェレットと、前記中心から前記第三の距離範囲より遠い第四の距離半径と、を有する追加の繰返しゾーンを含み、前記少なくとも第四のエシェレットは前記第二のゾーンの前記少なくとも第二のエシェレットのための前記第二の段差高さと前記第二の曲率半径の少なくとも１つを有する、請求項１に記載の眼科レンズ。
【請求項６】
前記前面と前記後面の前記少なくとも一方がベース曲率を有する、請求項１に記載の眼科レンズ。
【請求項７】
前面と、後面と、前記前面と前記後面の少なくとも一方の上に配置された少なくとも１つの回折格子であって、前記前面と前記後面の前記少なくとも一方の中心からの複数の距離範囲に対応する複数のゾーンを含み、前記複数のゾーンは、第一の距離範囲に対応する第一のゾーンと、前記中心から前記第一の距離範囲より遠い第二の距離範囲に対応する第二のゾーンと、前記中心から前記第二の距離範囲より遠い第三の距離範囲に対応する繰返しゾーンと、を含み、前記第一のゾーンは、第一の段差高さと第一の曲率半径を有する少なくとも第一のエシェレットを含み、前記第二のゾーンは、第二の段差高さと第二の曲率半径を有する少なくとも第二のエシェレットを含み、前記繰返しゾーンは、前記第一の段差高さと前記第一の曲率半径の少なくとも１つを有する少なくとも第三のエシェレットを含む、少なくとも１つの回折格子と、を含む、眼科レンズと、
前記眼科レンズに連結された複数のハプティクスと、
を含む、眼科医療機器。
【請求項８】
前記繰返しゾーンの前記少なくとも第三のエシェレットは、前記第一のゾーンの前記第一の段差高さと、前記第一の曲率半径とは異なる第三の曲率半径と、を有する、請求項７に記載の眼科医療機器。
【請求項９】
前記繰返しゾーンの前記少なくとも第三のエシェレットは、前記第一の段差高さとは異なる第三の段差高さと、前記第一の曲率半径と、を有する、請求項７に記載の眼科医療機器。
【請求項１０】
前記繰返しゾーンの前記少なくとも第三のエシェレットは、前記第一のゾーンの前記第一の段差高さと、前記第一のゾーンの前記第一の曲率半径と、を有する、請求項７に記載の眼科医療機器。
【請求項１１】
前記複数のゾーンは、少なくとも第四のエシェレットと、前記中心から前記第三の距離範囲より遠い第四の距離範囲と、を有する、追加の繰返しゾーンを含み、前記少なくとも第四のエシェレットは前記第二のゾーンの前記少なくとも第二のエシェレットのための前記第二の段差高さと前記第二の曲率半径の少なくとも１つを有する、請求項７に記載の眼科医療機器。
【請求項１２】
前記第三の距離範囲が患者の瞳孔の大きさに基づいて選択される、請求項７に記載の眼科医療機器。
【請求項１３】
眼科レンズを提供する方法において、
前記眼科レンズの前面と後面の少なくとも一方のためのベースカーブを特定するステップと、
前記前面と前記後面の前記少なくとも一方の前記ベースカーブの上に配置された少なくとも１つの回折格子を提供するステップであって、前記少なくとも１つの回折格子は、中心からの複数の距離範囲に対応する複数のゾーンを含み、前記複数のゾーンは、第一の距離範囲に対応する第一のゾーンと、前記中心から前記第一の距離範囲より遠い第二の距離範囲に対応する第二のゾーンと、前記中心から前記第二の距離範囲より遠い第三の距離範囲に対応する繰返しゾーンと、を含み、前記第一のゾーンは、第一の段差高さと第一の曲率半径を有する少なくとも第一のエシェレットを含み、前記第二のゾーンは、第二の段差高さと第二の曲率半径を有する少なくとも第二のエシェレットを含み、前記繰返しゾーンは、前記第一の段差高さと前記第一の曲率半径の少なくとも１つを有する少なくとも第三のエシェレットを含む、ステップと、
を含む、方法。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
筐体と、
前記筐体に配置された内部要素と、前記筐体に前記要素のユニットを機械的に結合する少なくとも１つの弾力性要素を有する、懸架器と、
を有する搾乳ポンプのための駆動ユニットであって、
前記内部要素は、互いに機械的に結合されて、前記懸架器によって前記筐体に機械的に結合されたユニットを形成し、
前記弾力性要素はばね、コイルばね又は板ばねであり、
前記内部要素は、基部構造に固定的に又は着脱可能に配置され、前記基部構造は、前記懸架器により前記筐体に機械的に結合され、
全ての前記内部要素は、前記基部構造を介して機械的に結合された、
駆動ユニット。  
【請求項２】
前記内部要素は、少なくとも１つの圧力ユニットと、制御ユニットと、ユーザインタフェースとを有し、前記圧力ユニットはポンプ及び前記ポンプを駆動するためのモータを有する、請求項１に記載の駆動ユニット。
【請求項３】
前記弾力性要素は、減衰要素又は弾性要素を更に含む、請求項１に記載の駆動ユニット。
【請求項４】
前記減衰要素は調節可能である、請求項３に記載の駆動ユニット。
【請求項５】
２つ以上の弾力性要素が備えられ、前記弾力性要素は、同じタイプのもの又は異なるタイプのものである、請求項１乃至４のいずれか一項に記載の駆動ユニット。
【請求項６】
前記２つ以上の弾力性要素は、前記筐体における前記内部要素を安定化するよう構成された、請求項５に記載の駆動ユニット。
【請求項７】
前記弾性要素は、シリコーン、ポリウレタン、天然又は合成ゴム、エラストマ射出成形ポリマー又はこれらの組み合わせを有する、請求項３に記載の駆動ユニット。
【請求項８】
前記内部要素は、互いに固定的に又は着脱可能に結合された、請求項１に記載の駆動ユニット。
【請求項９】
請求項１乃至８のいずれか一項に記載の駆動ユニットと、ユーザの胸部から母乳を圧搾するためのユーザの胸部への配置のための圧搾具と、を有し、
前記圧搾具は、漏斗、容器及び前記駆動ユニットに接続された管を有する搾乳ポンプ。
【請求項１０】
前記圧搾具は、前記圧力ユニットに固定的に又は着脱可能に接続された、請求項９に記載の搾乳ポンプ。
【請求項１１】
前記圧搾具は、弾力性のフランジにより、前記フランジが前記圧力ユニットに接続された状態で、前記駆動ユニットの前記筐体に固定的に又は着脱可能に接続された、請求項９に記載の搾乳ポンプ。
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
バッキングと、
前記バッキング上に配置された活性層であって、
有効医薬成分と、
接着剤と、
を含む、活性層と、
前記活性層上に配置された剥離ライナーであって、
基材と、
前記基材上に配置された剥離層と、
を含む、剥離ライナーと、
を備え、
前記剥離層の少なくとも一部分が、前記活性層と接触しており、
前記剥離層が、
エチレン性不飽和基も、Ｓｉ−Ｈ基も、エチレン性不飽和基又はＳｉ−Ｈ基と化学反応性のある官能基も有しない、第１のフルオロシリコーンポリマーと、
少なくとも部分的に硬化した反応生成物であって、
ポリマー鎖当たり少なくとも２つの架橋性官能基を有する第２のフルオロシリコーンポリマーと、
ポリマー鎖当たり少なくとも２つの架橋性官能基を含み、フッ素原子を含有しない非フッ素化シリコーンポリマーと、
からなる反応生成物と、
のブレンドを含み、
前記有効医薬成分が、少なくとも１つのアミンを含む、
経皮薬物送達システム。
【請求項２】
前記第２のフルオロシリコーンポリマーの前記架橋性官能基、または非フッ素化シリコーンポリマー、またはその両方が、エチレン性不飽和基を含む、請求項１に記載の経皮薬物送達システム。
【請求項３】
前記有効医薬成分が、ブプレノルフィン、クロニジン、フェンタニル、グラニセトロン、メチルフェニデート、オキシブチニン、リバスチグミン、ロチゴチン、スコポラミン、セレギリン、ニコチン、スマトリプタン、カプサイシン、ジクロフェナクエポラミン、リドカイン、エチドカイン、ロピバカイン、インダパミド、アポモルフィン、プロピルノラプロモルフィン、サルブテロール、リスリド、ジヒドロエルゴタミン、ペルゴリド、テルグリド、プロテルグリド、プロプラノロール、イミプラミン、グアネチジン、シプロヘプタジン、オランザピン、及びジクロフェナクのうちの少なくとも１つを含む、請求項１〜２のいずれか一項に記載の経皮薬物送達システム。
【請求項４】
前記接着剤がシリコーン接着剤である、請求項１〜３のいずれか一項に記載の経皮薬物送達システム。
【請求項５】
前記活性層が、前記有効医薬成分の少なくとも一部を含むリザーバを備える、請求項１〜４のいずれか一項に記載の経皮薬物送達システム。
【請求項６】
前記有効医薬成分がマトリックス内に配置されている、請求項１〜５のいずれか一項に記載の経皮薬物送達システム。
【請求項７】
前記剥離層が、前記非フッ素化シリコーンポリマーと前記第２のフルオロシリコーンポリマーとの合計重量に基づいて６５〜９７重量パーセントの前記非フッ素化シリコーンポリマーを含む、請求項１〜６のいずれか一項に記載の経皮薬物送達システム。
【請求項８】
前記剥離層が、前記第２のフルオロシリコーンポリマー及び前記非フッ素化シリコーンポリマー合わせて１００重量部当たり、少なくとも１重量部かつ３０重量部以下の前記第１のフルオロシリコーンポリマーを含む、請求項１〜７のいずれか一項に記載の経皮薬物送達システム。
【請求項９】
前記非フッ素化シリコーンポリマーが、１当量当たり１，５００〜１０，０００グラムのビニル当量を有する、請求項２〜８のいずれか一項に記載の経皮薬物送達システム。
【請求項１０】
前記剥離層が、
エチレン性不飽和基も、Ｓｉ−Ｈ基も、エチレン性不飽和基又はＳｉ−Ｈ基と化学反応性のある官能基も有しない、第１のフルオロシリコーンポリマーと、
少なくとも部分的に硬化した反応生成物であって、
ポリマー鎖当たり少なくとも２つの架橋性官能基を有する第２のフルオロシリコーンポリマーと、
ポリマー鎖当たり少なくとも２つの架橋性官能基を含み、フッ素原子を含有しない非フッ素化シリコーンポリマーと
架橋剤と、
からなる反応生成物と、
のブレンドを含む、請求項１〜１２のいずれか一項に記載の経皮薬物送達システム。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
（ａ）機能性コラーゲンＶＩＩ（ＣＯＬ７Ａ１）タンパク質をコードする遺伝子構築物を含むウイルスで形質導入された皮膚細胞を含むケラチノサイトシートを含み、前記皮膚細胞のプロウイルスゲノムコピー数（ＰＧＣＮ）が３以下であり、または、
（ｂ）機能性コラーゲンＶＩＩ（ＣＯＬ７Ａ１）タンパク質をコードする遺伝子構築物を含むウイルスで形質導入された角膜細胞を含む角膜シートを含み、前記角膜細胞のプロウイルスゲノムコピー数（ＰＧＣＮ）が３以下である、
組成物。
【請求項２】
前記ウイルスは、レトロウイルス、レンチウイルス、またはアデノ随伴ウイルス（ＡＡＶ）である、請求項１に記載の組成物。
【請求項３】
前記レトロウイルスは、ＬＺＲＳＥウイルス、またはＧａｌＶ偽型ウイルスである、請求項２に記載の組成物。
【請求項４】
前記皮膚細胞または角膜細胞は、５０％を超えるウイルス形質導入効率（ＶＴＥ）の放出前基準を満たす、請求項１〜３のいずれか一項に記載の組成物。
【請求項５】
（ａ）前記皮膚細胞は、ケラチノサイトもしくは幹細胞を含むか、または、（ｂ）前記角膜細胞は、角膜上皮細胞もしくは幹細胞を含む、請求項１〜４のいずれか一項に記載の組成物。
【請求項６】
（ａ）前記機能性ＣＯＬ７Ａ１タンパク質は、全長野生型ヒトＣＯＬ７Ａ１タンパク質であるか、または、
（ｂ）前記機能性ＣＯＬ７Ａ１タンパク質は、全長野生型ヒトＣＯＬ７Ａ１タンパク質からの遺伝子改変を含む、
請求項１〜５のいずれか一項に記載の組成物。
【請求項７】
前記遺伝子改変は、挿入、欠失、及び／または変異を含む、請求項６に記載の組成物。
【請求項８】
前記皮膚細胞または角膜細胞のＰＧＣＮは、２、１．５、１、または０．５以下である、請求項１〜７のいずれか一項に記載の組成物。
【請求項９】
無細胞マトリックス、コラーゲンマトリックス、または生体適合性メッシュをさらに含む、請求項１〜８のいずれか一項に記載の組成物。
【請求項１０】
前記ケラチノサイトシートまたは角膜シートが、前記無細胞マトリックス、コラーゲンマトリックス、または生体適合性メッシュ上に配置される、請求項９に記載の組成物。
【請求項１１】
（ａ）前記生体適合性メッシュが、熱可塑性樹脂、ポリエチレン、超高分子量のポリエチレン、高分子量のポリオレフィン、非コーティング単繊維ポリプロピレン、ポリエーテルエーテルケトン、ポリエチレンテレフタラート、ポリテトラフルオロエチレン、発泡ポリテトラフルオロエチレン、ナイロン、シリコン、またはそれらの任意の組み合わせで作製されるか、または、
（ｂ）前記無細胞マトリックスは、ヒトの真皮または動物の真皮を含む、
請求項９または１０に記載の組成物。
【請求項１２】
（ａ）表皮水疱症（ＥＢ）または（ｂ）角膜糜爛を処置するためのものである、請求項１〜１１のいずれか一項に記載の組成物。
【請求項１３】
前記ＥＢは、栄養障害型表皮水疱症（ＤＥＢ）である、請求項１２に記載の組成物。
【請求項１４】
前記ＤＥＢは、（ａ）劣性ＤＥＢ、重度の全身性（ＲＤＥＢ−ｓｅｖ  ｇｅｎ）、（ｂ）劣性ＤＥＢ、他の全身性（ＲＤＥＢ−Ｏ）、または、（ｃ）優性ＤＥＢ（ＤＤＥＢ）である、請求項１３に記載の組成物。
【請求項１５】
（ａ）表皮水疱症（ＥＢ）または（ｂ）角膜糜爛を処置するための薬剤を製造するための請求項１〜１１のいずれか一項に記載の組成物の使用。
【請求項１６】
前記ＥＢは、栄養障害型表皮水疱症（ＤＥＢ）である、請求項１５に記載の使用。
【請求項１７】
前記ＤＥＢは、（ａ）劣性ＤＥＢ、重度の全身性（ＲＤＥＢ−ｓｅｖ  ｇｅｎ）、（ｂ）劣性ＤＥＢ、他の全身性（ＲＤＥＢ−Ｏ）、または、（ｃ）優性ＤＥＢ（ＤＤＥＢ）である、請求項１６に記載の使用。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
衛生用品に組み込まれ生体液体に用いられる吸収性要素であって、前記吸収性要素は、
複数の第１の空洞を有する第１のラミネート材料層と、
前記第１のラミネート材料層のそれぞれの第１の空洞内にそれぞれが受容される複数の高吸収性材料の塊と、
前記第１の材料層のそれぞれの第１の空洞にそれぞれが受容されるように構成された複数の第２の空洞を有し、前記第２の空洞の凸面は、前記第１の空洞の凹面に面し、対応する前記高吸収性材料の塊がその中に受容される、第２のラミネート材料層と、
を備え、
前記第１のラミネート材料層および前記第２のラミネート材料層は、前記第1及び第２の空洞のない中間部分で少なくとも互いに固定されており、
全体構成は、前記高吸収性材料の塊は、前記第２の空洞の凹面／凸面がひっくり返るまで、対応する前記第２の空洞を膨張させ変形させることにより前記生体液体を吸収することができる、吸収性要素。
【請求項２】
前記第１の空洞および前記第２の空洞は協働しながら対応する前記高吸収性材料の塊を受容する座部を画定する、請求項１に記載の吸収性要素。
【請求項３】
前記第１の層と前記第２の層とが結合する側との反対側において、前記第２の層に結合された第３のラミネート材料層を備える、請求項１または２に記載の吸収性要素。
【請求項４】
前記第１の層と前記第２の層とが結合する側との反対側において、前記第１の層に結合された第４のラミネート材料層を備える、請求項１から３のうちいずれか一項に記載の吸収性要素。
【請求項５】
前記第１の空洞および前記第２の空洞は同じ輪郭を有する、請求項１から４のうちいずれか一項に記載の吸収性要素。
【請求項６】
前記第１の空洞および／または前記第２の空洞は略円筒形の輪郭を有する、請求項１から５のうちいずれか一項に記載の吸収性要素。
【請求項７】
前記第１の空洞および／または前記第２の空洞は略先細の輪郭、特に略円錐台形の輪郭を有する、請求項１から６のうちいずれか一項に記載の吸収性要素。
【請求項８】
前記第１の空洞はそれぞれ、対応する前記高吸収性材料の塊を収容する主区画および副区画を画定する二重袋輪郭を有し、前記副区画は、好ましくは前記主区画の底部の中央に配置される、請求項１から７のうちいずれか一項に記載の吸収性要素。
【請求項９】
各高吸収性材料の塊は、前記副区画、好ましくは、前記副区画の中のみに受容される、請求項１から８のうちいずれか一項に記載の吸収性要素。
【請求項１０】
前記副区画は、略円筒形または略円錐台形の輪郭を有する、請求項８または９に記載の吸収性要素。
【請求項１１】
前記第１の空洞および／または前記第２の空洞はエンボス加工により得られる、請求項１から１０のうちいずれか一項に記載の吸収性要素。
【請求項１２】
請求項１から１１のうちいずれか一項に記載の１つまたは複数の吸収性要素を備えた衛生用品、特におむつ。
【請求項１３】
請求項１から１１のうちいずれか一項に記載の吸収性要素を製造する装置であって、
前記製造装置は、
複数の第１の突出要素を有し、第１のラミネート材料が使用中に係合するように構成された第１のエンボス加工ローラと、
複数の第２の突出要素を有し、第２のラミネート材料が使用中に係合するように構成された第２のエンボス加工ローラと、
前記第１のエンボス加工ローラに、かつ、前記第１のエンボス加工ローラの下流では前記第２のエンボス加工ローラに回転可能に結合され、それぞれが前記第１のエンボス加工ローラの第１の突出要素または前記第２のエンボス加工ローラの第２の突出要素を受容するのに適した複数の開口部を有する、吸引ローラと、
を備え、
その構成は、前記第１のエンボス加工ローラと前記吸引ローラとの協働回転中に、前記第１の突出要素が、対応する第１の空洞を前記第１のラミネート材料に形成するように前記第１のラミネート材料を介在させて対応する開口部に係合するような構成であり、
前記吸引ローラは、リザーバから前記高吸収性材料の吸引手段を有し、前記吸引手段が、使用中に前記リザーバに面する前記開口部の一部を通して吸引をすることで、高吸収性材料の塊は、前記第１のラミネート材料の対応する第１の空洞内に吸引され、
その構成は、前記吸引の下流における前記第２のエンボス加工ローラと前記吸引ローラとの協働回転中に、前記第２の突出要素が、対応する第２の空洞を前記第２のラミネート材料に形成するように、前記第１のラミネート材料および前記第２のラミネート材料を介在させて対応する開口部に係合するような構成である、装置。
【請求項１４】
前記吸引ローラの上流で前記第１のエンボス加工ローラに回転可能に結合され、それぞれが前記第１のエンボス加工ローラのそれぞれの突出要素を受容するのに適した複数の補助開口部を有する、補助ローラを備え、その構成は、前記第１のエンボス加工ローラと前記補助ローラとの協働回転中に、前記第１の突出要素が、対応する補助空洞を前記第１のラミネート材料に形成するように前記第１のラミネート材料を介在させて対応する補助開口部に係合するような構成である、請求項１３に記載の装置。
【請求項１５】
前記第１の突出要素および／または前記第２の突出要素および／または前記開口部および／または補助開口部は、それぞれ略円筒形エンボス加工輪郭を有する、請求項１３または１４に記載の装置。
【請求項１６】
前記第１の突出要素および／または前記第２の突出要素および／または前記開口部および／または補助開口部が、それぞれ略先細のエンボス加工輪郭、特に略円錐台形のエンボス加工輪郭を有する、請求項１３または１４に記載の装置。
【請求項１７】
前記第２のエンボス加工ローラの下流に配置された第３のラミネート材料の供給ローラを備えた、請求項１３から１６のうちいずれか一項に記載の装置。
【請求項１８】
前記ローラのうちの１つまたは複数の温度制御手段を備えた、請求項１３から１７のうちいずれか一項に記載の装置。
【請求項１９】
前記第１のラミネート材料および前記第２のラミネート材料の結合ユニットを備えた、請求項１３から１８のうちいずれか一項に記載の装置。
【請求項２０】
請求項１から１１のうちいずれか一項に記載の吸収性要素を製造する方法であって、
第１のラミネート材料を第１のエンボス加工ローラに供給し、前記第１の材料に複数の第１の空洞を得るステップと、
前記第１のエンボス加工ローラに回転可能に結合され、吸引が生じる複数の開口部を有する吸引ローラによって、前記第１の空洞のそれぞれのリザーバから直接、高吸収性材料の塊を吸引するステップと、
第２のラミネート材料を第２のエンボス加工ローラに供給し、前記第１のラミネート材料の対応する前記第１の空洞にそれぞれが受容される複数の第２の空洞を前記第２の材料に得るステップと
を順序通りに提供する、方法。
【請求項２１】
前記第１の空洞および／または第２の空洞は熱成形によって得られる、請求項２０に記載の方法。
【請求項２２】
前記第１のラミネート材料および前記第２のラミネート材料を結合するステップを含む、請求項２０または２１に記載の方法。
【請求項２３】
請求項１３から１９のうちいずれか一項に記載の装置を使用する、請求項２０から２２のうちいずれか一項に記載の方法。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
互いに反対側を向いた第１及び第２の主表面を画定する基材と、
防汚剤を含み、前記基材に適用され、少なくとも前記第１の主表面上に存在する、汚れ剥離コーティングと、
前記基材と向かい合う前記汚れ剥離コーティング上に形成されたテクスチャ層と、
を備える摺洗物品。
【請求項２】
前記防汚剤が非フルオロケミカル防汚剤である、請求項１に記載の摺洗物品。
【請求項３】
前記防汚剤が、ポリエチレンオキシド、ポリビニルピロリドン、並びに、スチレン−無水マレイン、アクリレート、及びフェノールからなる群から選択されるポリマーのうちの１種を含む、請求項２に記載の摺洗物品。
【請求項４】
前記防汚剤がフルオロケミカル防汚剤である、請求項１に記載の摺洗物品。
【請求項５】
前記防汚剤がフルオロケミカルウレタンを含む、請求項４に記載の摺洗物品。
【請求項６】
前記テクスチャ層の外面全てが前記汚れ剥離コーティングに対して露出されている、請求項１に記載の摺洗物品。
【請求項７】
前記テクスチャ層がパターンを画定する、請求項１に記載の摺洗物品。
【請求項８】
前記第２の主面に取り付けられた補助的基材を更に備える、請求項１に記載の摺洗物品。
【請求項９】
互いに反対側を向いた第１及び第２の主表面を画定する基材を準備する工程と、
汚れ剥離コーティングが少なくとも前記第１の主表面上に存在するように、前記汚れ剥離コーティングを前記基材に適用する工程と、
前記汚れ剥離コーティング上に、前記基材と向かい合うテクスチャ層を形成する工程と
を含む、摺洗物品を製造する方法。
【請求項１０】
テクスチャ層を形成する前記工程が、
流動性テクスチャ層組成物を準備する工程と、
前記流動性テクスチャ層組成物を前記汚れ剥離コーティング上に転写する工程と、
を含む、請求項９に記載の方法。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
気分又は感情を調節するための方法であって、
１種以上の有機化合物を捕捉又は吸収可能な基質上で、特定の気分又は感情的状態にある被検体から１種以上の有機化合物を補足する工程、
前記基質から、前記１種以上の有機化合物を芳香剤、油、クリーム、ローション又はシャンプーに放出させる工程、及び
前記１種以上の有機化合物を被検体に曝露させることで、気分又は感情を調節する工程を含み、
前記基質は、活性炭素片、炭素含浸繊維又は固相マイクロ抽出繊維であり、さらに、前記１種以上の有機化合物は、少なくとも１時間皮膚に近接させた場所に前記基質を装着することによって、捕捉されることを特徴とする方法。
【請求項２】
前記１種以上の有機化合物を補足する工程は更に、前記被検体から体温又はほぼ体温と同じ温度で放出される前記１種以上の有機化合物の捕捉として定義されることを特徴とする請求項１に記載の方法。
【請求項３】
前記１種以上の有機化合物を補足する工程は、前記被検体において特定の気分又は感情的状態であるときに行うものであり、前記気分又は感情的状態は、排卵、授乳、就労、スポーツ活動、性行為、結婚、洗礼、パーティー、出張、休暇、ロッククライミング、スカイダイビング、ジェットコースター、バンジージャンプ、又はクリフジャンプの少なくとも１つから選択される時間中に生じることを特徴とする請求項１に記載の方法。
【請求項４】
前記１種以上の有機化合物は揮発性有機化合物であることを特徴とする請求項１に記載の方法。
【請求項５】
前記１種以上の有機化合物は少なくとも１種以上の性フェロモン、警報フェロモン、調節フェロモン、道しるべフェロモン又は識別臭から選択されることを特徴とする請求項１に記載の方法。
【請求項６】
前記被検体はヒトであることを特徴とする請求項１に記載の方法。
【請求項７】
前記基質は再利用可能であることを特徴とする請求項１に記載の方法。
【請求項８】
前記基質は第１時点では、前記１種以上の有機化合物を捕捉するために十分な時間、前記基質から放出されると前記被検体に近い周囲において知覚できる十分な量で、皮膚上、又は皮膚付近に配置することを特徴とする請求項１に記載の方法。
【請求項９】
前記方法で使用するための装置は更に、基質用の保管領域を含む筐体、電源、加熱もしくは冷却要素制御装置、噴霧器、アトマイザ、香水もしくはコロン、１種以上の芳香剤、油もしくは溶剤、推進器、気化器、又はファンを備えるものとして定義されることを特徴とする請求項１に記載の方法。
【請求項１０】
２体以上の被検体由来の１種以上の有機化合物を同時に捕捉することを特徴とする請求項１に記載の方法。
【手続補正２】
【補正対象書類名】明細書
【補正対象項目名】発明の名称
【補正方法】変更
【補正の内容】
【発明の名称】気分、感情又は生理的状態に影響を与える揮発性有機化合物を使用する方法
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
近位端と、遠位端と、前記近位端と前記遠位端との間に延びるルーメンと、を有する長尺状管状部材であって、患者の体腔内に貫入するように構成されている、長尺状管状部材と、
前記長尺状管状部材の前記遠位端を越えて延びる吸上部材であって、前記ルーメンを通じて送達されるある量の治療流体を、前記吸上部材から前記体腔内の標的組織に適用するために、前記吸上部材に固定するように構成されている、吸上部材と、
を含む、眼科外科用器具。
【請求項２】
前記吸上部材は、前記長尺状管状部材の前記ルーメンから延出する材料のループを含む、請求項１に記載の眼科外科用器具。
【請求項３】
前記材料のループは前記ルーメン内に後退させることができる、請求項２に記載の眼科外科用器具。
【請求項４】
前記材料は、
金属、
エラストマー、
形状記憶材料、
ポリマー、及び
ガラス
のうちの１つである、請求項２に記載の眼科外科用器具。
【請求項５】
前記吸上部材は、前記長尺状管状部材の前記遠位端から延びる複数の繊維を含む、請求項１に記載の眼科外科用器具。
【請求項６】
前記治療流体は組織接着剤である、請求項１に記載の眼科外科用器具。
【請求項７】
前記長尺状管状部材の前記ルーメンに結合された流体源を更に含む、請求項１に記載の眼科外科用器具。
【請求項８】
近位端と、遠位端と、前記近位端と前記遠位端との間に延びるルーメンと、を有する長尺状管状部材であって、患者の腔内に挿入されるように構成されている、長尺状管状部材と、
前記長尺状管状部材の前記ルーメンに結合された流体源と、
前記長尺状管状部材の前記遠位端を越えて延びる吸上部材であって、前記吸上部材から前記腔内の標的組織に適用するために、前記ルーメンを通じて送達されるある量の治療流体を前記吸上部材に固定するように構成されている、吸上部材と、
を含む、外科用器具。
【請求項９】
前記吸上部材は、前記長尺状管状部材の前記遠位端から展開可能である、請求項８に記載の外科用器具。
【請求項１０】
前記吸上部材は矩形断面を有する、請求項８に記載の外科用器具。
【請求項１１】
前記流体源は、前記吸上部材が前記長尺状管状部材の前記遠位端を越えて展開すると、前記ルーメンを通じて流体を注出するように構成されている、請求項８に記載の外科用器具。
【請求項１２】
前記吸上部材は、前記長尺状管状部材の前記遠位端に固定された複数の繊維を含む、請求項８に記載の外科用器具。
【請求項１３】
前記繊維は親水性コーティングを有する、請求項１２に記載の外科用器具。
【請求項１４】
前記長尺状管状部材の前記遠位端にはキャップが嵌められており、前記長尺状管状部材の前記遠位端に形成された、前記ルーメンから前記繊維に前記流体を通すことを可能にするための複数の開口を含む、請求項１２に記載の外科用器具。
【請求項１５】
前記ルーメンの直径は約０．２ｍｍ〜約０．６ｍｍの範囲内である、請求項８に記載の外科用器具。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
リンクによって相互連結された複数のリングのネットワークを有する薄肉スキャフォールドであって、各リングが複数の山を有し、山が、Ｕ頂部、Ｙ頂部およびＷ頂部のうちの１つであり、各リングが、長手方向軸線（Ａ−Ａ）に対して垂直な垂直軸線（Ｂ−Ｂ）に沿って波状に周方向に延在している、前記薄肉スキャフォールドと、
前記複数のリングのうちの第１のリングと第２のリングとの間に延在するマーカリンクであって、前記マーカリンクが、穴を有する構造を含み、前記穴内には放射線不透過性材料が含まれている、前記マーカリンクと
を備える医療用具であって、
前記マーカリンクが、前記第１のリングと第１のリングのＷ頂部を形成し、前記第２のリングと第２のリングのＹ頂部を形成しており、前記第１のリングのＷ頂部から前記第１のリングにおいて隣にあるＵ頂部までで測定された前記第１のリングの波長の１／２が、前記第２のリングのＹ頂部から前記第２のリングにおいて隣にあるＵ頂部までで測定された前記第２のリングの波長の１／２より大きい、医療用具。
【請求項２】
前記マーカリンクの長さが、前記第２のリングを前記第２のリングと結合された第３のリングに連結するリンクの長さより大きい、請求項１に記載の医療用具。
【請求項３】
前記マーカリンクが、前記構造から前記第１のリングのＷ頂部まで延在する第１のリンク部分と、前記第２のリングのＹ頂部から前記構造まで延在する第２のリンク部分とを含み、前記第１のリンク部分の幅が前記第２のリンク部分の幅より大きい、請求項１に記載の医療用具。
【請求項４】
前記第１のリンク部分の長さが前記第２のリンク部分の長さより小さい、請求項３に記載の医療用具。
【請求項５】
前記構造が、前記放射線不透過性材料を各々含む第１の穴と第２の穴とを含み、前記第１の穴と前記第２の穴とが前記軸線Ａ−Ａに対して平行に配置されている、請求項１〜４のいずれか一項に記載の医療用具。
【請求項６】
前記第１のリングが、第１の山、第２の山および第３の山を含み、前記第１の山が前記第１のリングのＷ頂部に対応しており、前記第２の山が前記第１の山の隣にあり、前記第３の山が前記第２の山の隣にあり、前記第２の山から前記第３の山まで及ぶ第２の波長が前記第１の山から前記第２の山まで及ぶ第１の波長より小さい、請求項１に記載の医療用具。
【請求項７】
前記第１のリングのＷ頂部の平坦部分が、前記第２のリングと結合された第３のリングの第３のリングのＷ頂部の平坦部分、および／または前記第１のリングの第４のＷ頂部の平坦部分より大きい、請求項１に記載の医療用具。
【請求項８】
前記第１のリングのＷ頂部を形成している前記第１のリングの波長が、前記第２のリングのＹ頂部を形成している前記第２のリングの波長より長い、請求項１に記載の医療用具。
【請求項９】
リンクによって相互連結された複数のリングのネットワークによって形成された、近位端部分と遠位端部分とを有する薄肉スキャフォールドであって、各リングが複数の山を有し、山が、Ｕ頂部、Ｙ頂部およびＷ頂部のうちの１つであり、各リングが、長手方向軸線（Ａ−Ａ）に対して垂直な垂直軸線（Ｂ−Ｂ）に沿って波状に周方向に延在している、前記薄肉スキャフォールドと、
前記複数のリングのうちの第１のリングと第２のリングとの間に延在するマーカリンクであって、前記マーカリンクが、穴を有する構造を含み、前記穴内には放射線不透過性材料が含まれている、前記マーカリンクと
を備える医療用具であって、
前記マーカリンクが、前記第１のリングと第１のリングのＷ頂部を形成し、前記第２のリングと第２のリングのＹ頂部を形成しており、前記第１のリングのＷ頂部が第１の山に対応しており、
前記第１の山から前記第１のリングにおいて前記第１の山の隣にある第２の山までで測定された前記第１のリングの第１の波長が、前記第２の山から前記第１のリングにおいて隣にある第３の山までで測定された前記第１のリングの第２の波長より大きい、医療用具。
【請求項１０】
前記第１のリングがｎ個の山とｎ個の波長とを有し、ｎが少なくとも６であり、かつ１２以下であり、第１の波長と第２の波長とが前記第１の山からそれぞれ上下に測定され、前記第１の山が、前記第１のリングの残りｎ−２個の波長のいずれよりも大きい、請求項９に記載の医療用具。
【請求項１１】
残りｎ−２個の波長がすべて同じ長さを有する、請求項１０に記載の医療用具。
【請求項１２】
前記マーカリンクの長さが、前記第２のリングを第３のリングに連結するリンクの長さとほぼ等しい、請求項９〜１１のいずれか一項に記載の医療用具。
【請求項１３】
リンクによって相互連結された複数のリングのネットワークによって形成された、近位端部分と遠位端部分とを有する薄肉スキャフォールドであって、各リングが、Ｕ頂部と、Ｙ頂部およびＷ頂部のうちの少なくとも１つとを含む、複数の頂部を有し、各リングが、長手方向軸線（Ａ−Ａ）に対して垂直な垂直軸線（Ｂ−Ｂ）に沿って波状に周方向に延在している、前記薄肉スキャフォールド
を備える医療用具であって、
前記近位端部分が、第１の近位リンクによって第１の近位リングに結合された最も外側の近位リングを含み、前記第１の近位リングが第２の近位リンクによって第２の近位リングに結合されており、
前記遠位端部分が、第１の遠位リンクによって第１の遠位リングに結合された最も外側の遠位リングを含み、前記第１の遠位リングが第２の遠位リンクによって第２の遠位リングに結合されており、
（１）前記第１の近位リンクが、放射線不透過性材料を含む１対の近位穴を備える近位マーカリンクを含み、前記近位穴が軸線Ａ−Ａに沿って配置されており、
（２）前記第１の遠位リンクが、放射線不透過性材料を含む１対の遠位穴を備える遠位マーカリンクを含み、前記遠位穴が軸線Ｂ−Ｂに沿って配置されている、医療用具。
【請求項１４】
リンクによって相互連結された複数のリングのネットワークによって形成された、近位端部分と遠位端部分とを有する薄肉スキャフォールドであって、各リングが、Ｕ頂部と、Ｙ頂部およびＷ頂部のうちの少なくとも１つとを含む、複数の頂部を有し、各リングが、長手方向軸線（Ａ−Ａ）に対して垂直な垂直軸線（Ｂ−Ｂ）に沿って波状に周方向に延在している、前記薄肉スキャフォールド
を備える医療用具であって、
前記近位端部分が、第１の近位リンクによって第１の近位リングに結合された最も外側の近位リングを含み、前記第１の近位リングが第２の近位リンクによって第２の近位リングに結合されており、
前記遠位端部分が、第１の遠位リンクによって第１の遠位リングに結合された最も外側の遠位リングを含み、前記第１の遠位リングが第２の遠位リンクによって第２の遠位リングに結合されており、
（１）前記第１の近位リンクが、放射線不透過性材料を含む近位穴を備える近位マーカリンクを含み、
（２）前記第１の遠位リンクが、前記放射線不透過性材料を保持するリンクを欠いている、
医療用具。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
（ａ）重合性組成物の重合生成物を含む前駆体ポリマー材料と、
（ｂ）アンモニア、単一の一級アミノ基（−ＮＨ２）を有する化合物、又は式−ＮＨＲ［式中、Ｒは水素若しくはアルキルである。］の少なくとも２つのアミノ基を有する化合物から選択される窒素含有化合物と、
の反応生成物を含む、ポリマー吸着剤であって、
前記ポリマー吸着剤は、共有結合した窒素含有基を有し、
前記重合性組成物が、
（１）前記重合性組成物中のモノマーの総重量に対して８〜６５重量％の無水マレイン酸、
（２）前記重合性組成物中のモノマーの総重量に対して３０〜８５重量％のジビニルベンゼン、及び
（３）前記重合性組成物中のモノマーの総重量に対して０〜２０重量％のスチレン型モノマーであって、スチレン、アルキル置換スチレン、又はこれらの組み合わせである、スチレン型モノマー、
を含む、ポリマー吸着剤。
【請求項２】
前記窒素含有化合物が、式（Ｖ）
Ｒ４ＮＨＲ１
（Ｖ）
［式中、
Ｒ１は、水素又はアルキルであり、
Ｒ４は、水素、アルキル、式−Ｒ５−ＮＨＲ６の基、又は−（Ｃ＝ＮＨ）−ＮＨ２であり、
Ｒ５は、共有結合、アルキレン、アリーレン、アラルキレン、１つ若しくは複数のオキシ（−Ｏ−）基を有するヘテロアルキレン、又は１つ若しくは複数の−ＮＨ−基を有するヘテロアルキレンであり、
Ｒ６は、水素、アルキル、又は−（Ｃ＝ＮＨ）−ＮＨ２である。］
のものである、請求項１に記載のポリマー吸着剤。
【請求項３】
前記窒素含有化合物が、式（ＶＩ）
Ｒ７−（ＮＨＲ１）ｚ
（ＶＩ）
［式中、
Ｒ７は、アルカンのｚ価基、又はヘテロアルカンのｚ価基であり、
ｚは、３〜１０の範囲の整数である。］
のものである、請求項１に記載のポリマー吸着剤。
【請求項４】
ポリマー吸着剤上でアルデヒドを吸着する方法であって、前記方法が
請求項１に記載のポリマー吸着剤を提供することと、
前記ポリマー吸着剤上で前記アルデヒドを吸着することと、を含み、前記アルデヒドが式（Ｉ）
Ｒ２−（ＣＯ）−Ｈ
（Ｉ）
［式中、Ｒ２は、水素、アルキル、ビニル、又はアリールである。］のものであり、前記式（Ｉ）のアルデヒドの分子量が２００ｇ／ｍｏｌ以下である、方法。
【請求項５】
（ａ）請求項１に記載のポリマー吸着剤、及び
（ｂ）前記ポリマー吸着剤上で吸着されたアルデヒドを含む、組成物であって、前記アルデヒドが、式（Ｉ）
Ｒ２−（ＣＯ）−Ｈ
（Ｉ）
［式中、Ｒ２は、水素、アルキル、ビニル、又はアリールである。］のものであり、前記式（Ｉ）のアルデヒドの分子量が２００ｇ／ｍｏｌ以下である、組成物。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
食道内の圧入された食物の塊を取り除くように構成されているデバイスであって、前記デバイスが、中空内側部と、前記食物の塊のコアを抜くように構成されている遠位端部及び吸引源と連結されて前記コアを取り除くように構成されている近位端部と、を有する、カテーテルチューブを含む、デバイス。
【請求項２】
前記カテーテルチューブが前記食道内の前記食物の塊に送達されるときに、前記カテーテルチューブが可撓性又は湾曲可能である、請求項１に記載のデバイス。
【請求項３】
前記カテーテルチューブが中を通って前記食道内の前記食物の塊まで延在している内側部を画定している内視鏡を更に含む、請求項１に記載のデバイス。
【請求項４】
前記中空内側部の内部に位置付けられたスタイレットを更に含み、前記スタイレットが前記カテーテルチューブの中へ及び外へ前進させられるように構成されている、請求項１に記載のデバイス。
【請求項５】
前記カテーテルチューブが、より大きい直径の近位部分と、より小さい直径の前記遠位端部と、を含む、請求項１に記載のデバイス。
【請求項６】
前記カテーテルチューブの前記中空内側部の表面が、低摩擦材料でコーティングされている、請求項１に記載のデバイス。
【請求項７】
前記カテーテルチューブの前記遠位端部が、前記食物の塊を複数回コア抜きするように構成されており、前記食物の塊のコアが、前記カテーテルチューブを通って前記食道の外に吸引されるように寸法が決定されている、請求項１に記載のデバイス。
【請求項８】
体内の閉塞を取り除くように構成されているデバイスであって、前記デバイスは、
中空内側部と、前記閉塞のコアを抜くように構成されている遠位端部と、を有する、チューブを含み、
前記チューブが、吸引源と連結されて前記コアを取り除くように構成されている、デバイス。
【請求項９】
前記チューブが、食道内に配置されて食物の塊を前記閉塞として除去するように構成されている、請求項８に記載のデバイス。
【請求項１０】
前記チューブが、肺内に配置されて食物の塊又は粘液を前記閉塞として除去するように構成されている、請求項８に記載のデバイス。
【請求項１１】
前記チューブが前記食道内の前記食物の塊に送達されるときに、前記チューブが可撓性又は湾曲可能である、請求項８に記載のデバイス。
【請求項１２】
前記チューブが中を通って前記食道内の前記食物の塊まで延在している内側部を画定している内視鏡を更に含む、請求項８に記載のデバイス。
【請求項１３】
前記中空内側部の内部に位置付けられたスタイレットを更に含み、前記スタイレットが前記チューブの中へ及び外へ前進させられるように構成されている、請求項８に記載のデバイス。
【請求項１４】
前記チューブが、より大きい直径の近位部分と、より小さい直径の前記遠位端部と、を含む、請求項８に記載のデバイス。
【請求項１５】
前記カテーテルチューブの前記中空内側部の表面が、低摩擦材料でコーティングされている、請求項８に記載のデバイス。
【請求項１６】
前記チューブの前記遠位端部が、前記閉塞を複数回コア抜きするように構成されており、前記閉塞のコアが、前記チューブを通って吸引されるように寸法が決定されている、請求項８に記載のデバイス。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
介入装置に取り付けられた超音波受信器によって検出される、ビーム形成超音波撮像システムから送信された超音波信号を、前記超音波信号のビーム形成ビームシーケンスと相関させることによって、前記ビーム形成超音波撮像システムの超音波ビームで追跡される介入装置であって、前記介入装置は、
長手方向軸と、
各々が長さ及び幅を持つ複数の超音波受信器を備え、前記幅の方向に沿って延在する、第１の線形センサアレイと、
を備え、
前記第１の線形センサアレイは、前記超音波受信器各々の長さが前記長手方向軸に対して長さ方向に配置されるように、前記長手方向軸に対して前記介入装置の周りに円周方向に巻き付けられる、
介入装置。
【請求項２】
前記長さが前記幅よりも長い、請求項１に記載の介入装置。
【請求項３】
前記超音波受信器は、ギャップによって互いに離間され、
前記長手方向軸からの各前記ギャップを弧とした角度は、前記長手方向軸から各前記超音波受信器の前記幅を弧とした角度以下である、
請求項１又は請求項２に記載の介入装置。
【請求項４】
前記第１の線形センサアレイは、基板に取り付けられ、前記基板は、前記介入装置の周りにスパイラル状に巻き付けられる、請求項１から請求項３までのいずれか一項に記載の介入装置。
【請求項５】
スペースによって互いに離間された複数の超音波受信器を備える第２の線形センサアレイをさらに備え、
前記第２の線形センサアレイは、前記第１の線形センサアレイの各前記ギャップが、前記長手方向軸に対して長さ方向に前記第２の線形センサアレイの前記超音波受信器と一致するように、前記長手方向軸に対して円周方向に前記介入装置の周りに巻き付けられる、
請求項３に記載の介入装置。
【請求項６】
前記第１の線形センサアレイ及び前記第２の線形センサアレイは、前記長手方向軸に対して１ｍｍ以上の距離だけ離れて軸方向に配置される、請求項５に記載の介入装置。
【請求項７】
前記第１の線形センサアレイは、前記長手方向軸に対して直径方向に向かい合う対として配置された偶数個の超音波受信器を備え、
各前記超音波受信器は、ポーリングベクトルを持つ圧電素子を備え、
各対になった前記超音波受信器は、各対ごとに、
前記超音波受信器の前記ポーリングベクトルが前記長手方向軸に対して互いに反対向きにあり、且つ、
前記超音波受信器が、それらの前記ポーリングベクトルが互いに反対向きになるように並列に電気接続される
ように、配置される、
請求項１から請求項４までのいずれか一項に記載の介入装置。
【請求項８】
前記超音波受信器は、圧電ポリマーから形成される、請求項１から請求項７までのいずれか一項に記載の介入装置。
【請求項９】
ビーム形成超音波撮像システムの超音波ビームに関連して、請求項１から請求項８までのいずれか一項に記載の介入装置の回転を決定する方法であって、
第１の線形センサアレイの各超音波受信器から、前記ビーム形成超音波撮像システムから送信された超音波パルスを示す信号を受信するステップと、
これら受信した信号を比較するステップと、
最大の受信信号又は最初の受信信号のどちらかを有する超音波受信器を、前記超音波ビームの起源に関連付けるステップと
を有する、方法。
【請求項１０】
前記超音波ビームの送信と前記超音波受信器によるその検出との間の時間遅延に基づいて、前記最大の受信信号に関連付けられた超音波受信器の、前記超音波ビームの前記起源からの距離を決定するステップをさらに有する、請求項９に記載の方法。
【請求項１１】
複数の超音波ビームの放射シーケンスを、前記最大の受信信号を有する前記超音波受信器によって受信された信号と相関させることによって、前記最大の受信信号に関連付けられた超音波受信器が配置されているのが、前記ビーム形成超音波撮像システムによって放射された前記複数の超音波ビームのうちのどの超音波ビームにおいてであるかを識別するステップをさらに有する、請求項９に記載の方法。
【請求項１２】
前記ビーム形成超音波撮像システムに関連して、前記介入装置の位置及び回転を使用して、前記ビーム形成超音波撮像システムによってもたらされた超音波画像を、前記介入装置を含み第２の撮像システムによってもたらされた第２の画像に位置合わせするステップをさらに有し、前記位置は、決定された距離及び識別された超音波ビームに基づいて決定され、前記回転は、前記最大の受信信号に関連付けられた超音波受信器に基づいて決定される、請求項１１に記載の方法。
【請求項１３】
プロセッサで実行されると、前記プロセッサに請求項９に記載の方法のステップを実行させる命令を含む、コンピュータプログラム。
【請求項１４】
請求項１から請求項８までのいずれか一項に記載の介入装置と、
請求項９に記載の方法のステップを実行するプロセッサと
を備える、超音波トラッキングユニット。
【請求項１５】
ビーム形成超音波撮像システムと、
請求項１４に記載の超音波トラッキングユニットと
を備える、超音波撮像機構。